(57)【特許請求の範囲】
【請求項１】
ガスメータ２の全体を地面から上方にわたって覆うハウスカバー１４を設置し、このハウスカバー１４の下脚部と側面内部の各位置に、外的な衝撃振動を緩和して感震器の誤作動を抑制する制振機構１５を設けたことを特徴とする衝撃振動抑制装置を備えたガスメータ。
【請求項２】
ガスメータの周囲を覆うボックスカバー２１を設置し、このボックスカバー２１の外周側壁下部に、衝撃振動を緩和して感震器の誤作動を抑制する制振機構２４を設けたことを特徴とする衝撃振動抑制装置を備えたガスメータ。
【発明の詳細な説明】
【技術分野】
【０００１】
この発明は、衝撃振動抑制装置を備えた屋外設置のガスメータに関するものである。
【背景技術】
【０００２】
図５に、豪雪地域における屋外設置のガス供給設備の雪害の状況を示す。
１はガス容器、２はガスメータである。このガスメータ２には、震度５強相当以上の大きな地震の時に作動して自動的にガスを止める安全装置として、感震器とマイクロコンピュータを内蔵したマイコンメータが備えられている。
３は家屋、４は屋根、５は雪、６は隣家である。  屋根４からの落雪５ａと燐家６の雪降ろしなどによる落雪５ｂがガスメータ２に影響を与える状況を示している。
【０００３】
図６（ａ），（ｂ）に示す事例は、ガス容器１及びガスメータ２を覆うようにした一般的な雪対策である。
（ａ）雪対策として収納庫８を設け、ガス容器１及びガスメータ２は収納庫８内に収容して屋根９で雪５を受けるようにしている。
（ｂ）雪対策として家屋の軒下に雪囲い１０を設け、ガス容器１は架台１１上に固定しガスメータ２とともに軒下から雪囲い１０で雪５から保護した事例で、この雪囲い１０は下端を杭１２によって支えられている。
【０００４】
従来例として、特許文献１の特開平０８-２１９４３８号公報「ＬＰガス供給設備及びＬＰガス供給設備用ユニット」の発明技術がある。この発明には、ガス遮断の情報の読み取り、検針、操作性を容易にした、基台と側パネルと屋根パネルなどからなるＬＰガス供給設備用ユニットが開示されている。
【０００５】
特許文献２の実用新案登録第３０３５６４８号公報「ガスメータ用固定装置」の考案技術がある。この考案には、ガスメータの配管をフレキ管などの可とう性を有する配管の場合でも、ガスメータの設置を可能とし、衝撃を受けたときに、ガスメータが揺動して、感震器が誤作動しないように、壁面に固定可能とした受け金具と支持金具を設けた構造が開示されている。
【０００６】
特許文献３の特開平０８-１６０１４９号公報「地震判別推論装置及びこれを用いたガスメータ」の発明技術がある。この発明には、地震の判別精度を高めて誤判別とガスの遮断を防止するために、外乱に起因する固有振動周波数のＯＮ／ＯＦＦ信号を外乱信号除去手段１２で除去した後に、推論手段１３によって地震であるか否かを推論する手段が開示されている。
【０００７】
特許文献４の特開平０７-５７１６８号公報「制御装置」の発明技術には、地震の震動と、人や物の衝突等による外乱振動とを判別可能とするように、感震器及び振動センサーに接続される処理装置を備えて判定する構成が開示されている。
【０００８】
さらに、本出願人に係る発明技術には、特許文献５の特願２０１１-０５８０２５号「保護装置を設けたガスメータ」がある。この発明は、屋外設置のガスメータ上部に積もる雪や、落雪によってマイコンメータの感震器が誤作動しないようにカバーを設置して保護したものである。
【先行技術文献】
【特許文献】
【０００９】
【特許文献１】特開平０８-２１９４３８号公報
【特許文献２】実用新案登録  第３０３５６４８号公報
【特許文献３】特開平０８-１６０１４９号公報
【特許文献４】特開平０７-５７１６８号公報
【特許文献５】特願２０１１-０５８０２５号
【発明の概要】
【発明が解決しようとする課題】
【００１０】
図５に示すように、豪雪地域では、屋根４からの雪５の落雪５ａや雪降ろしの際の落雪５ｂによって屋外設置のガスメータ２が損傷することがあり、さらに、感震器とマイコンメータを内蔵しているガスメータ２の場合には、落雪５ａ，５ｂなど外的衝撃による振動によって、マイコンメータの地震検知機能が働いて感震器が誤作動し、ガスの供給が停止することがあった。
【００１１】
また、図６に示すような降雪地域での一般的な雪対策には、次のような課題があった。
（ａ）雪対策として収納庫８を設け、屋根９上で雪５を受けるようにした事例は、収納庫８の設置場所の確保と内部点検が必要である。
（ｂ）雪対策として雪囲い１０を設け、架台１１上に固定したガス容器１及びガスメータ２を、杭１２によって支えた雪囲い１０で保護した事例は、雪囲い１０や杭１２の設置と豪雪時の維持管理が大変である。
【００１２】
特許文献１の特開平０８-２１９４３８号公報「ＬＰガス供給設備及びＬＰガス供給設備用ユニット」の発明技術は、ガス遮断の情報の読み取り、検針、操作性を容易にした、基台と側パネルと屋根パネルなどからなるＬＰガス供給設備用ユニットが開示されているが、ユニットの設置と維持管理が必要であった。
【００１３】
特許文献２の実用新案登録第３０３５６４８号公報「ガスメータ用固定装置」の考案技術は、ガスメータが衝撃を受けたときに、ガスメータが揺動して感震器が誤作動しないように、壁面に固定した構造が開示されているが、落雪の衝撃には対応が難しく、その衝撃を受けたときにガスメータが揺動して、感震器が誤作動する心配があった。
【００１４】
特許文献３の特開平０８-１６０１４９号公報「地震判別推論装置及びこれを用いたガスメータ」の発明技術は、地震の判別精度を高めて誤判別とガスの遮断を防止するために、外乱に起因する固有振動周波数のＯＮ／ＯＦＦ信号を外乱信号除去手段１２で除去した後に、推論手段１３によって地震であるか否かを推論する手段が開示されているが、降雪と落雪への対応をするものではなかった。
【００１５】
特許文献４の特開平０７-５７１６８号公報「制御装置」の発明技術は、地震の震動と、人や物の衝突等による外乱振動とを判別可能とするように、感震器及び振動センサーに接続される処理装置を備えて判定する構成が開示されているが、降雪と落雪への直接的な対応をするものではなかった。
【００１６】
さらに、特許文献５の本出願人に係る特願２０１１-０５８０２５号「保護装置を設けたガスメータ」の発明技術は、屋外設置のガスメータ上部に積もる雪や、落雪によってマイコンメータの感震器が誤作動しないようにカバーを設置して保護したものであり、降雪及び落下物等外力からの保護は可能だが、振動抑制への対応をするものではなかった。
【００１７】
この発明の目的は、上述のような従来技術が有する問題点に鑑みてなされたもので、屋外設置のガスメータへの落雪や外的衝撃による振動の伝達を緩和し、感震器とマイコンを内蔵したマイコンメータに対して、地震以外の振動要因による誤作動の防止を図るための衝撃振動抑制装置を備えたガスメータを提供するものである。
【課題を解決するための手段】
【００１８】
請求項１に係る発明の衝撃振動抑制装置を備えたガスメータは、ガスメータ２の全体を地面から上方にわたって覆うハウスカバー１４を設置し、このハウスカバー１４の下脚部と側面内部の各位置に、外的な衝撃振動を緩和して感震器の誤作動を抑制する制振機構１５を設けたことを特徴とする。
【００１９】
請求項２に係る発明の衝撃振動抑制装置を備えたガスメータは、ガスメータの周囲を覆うボックスカバー２１を設置し、このボックスカバー２１の外周側壁下部に、衝撃振動を緩和して感震器の誤作動を抑制する制振機構２４を設けたことを特徴とする。
【発明の効果】
【００２１】
請求項１に係る発明の衝撃振動抑制装置を備えたガスメータは、ガスメータ２の全体を地面から上方にわたって覆うハウスカバー１４を設置し、このハウスカバー１４の下脚部と側面内部の各位置に、外的な衝撃振動を緩和して感震器の誤作動を抑制する制振機構１５を設けたので、
落雪など外的衝撃による垂直方向及び水平方向の振動の緩和を図るため、ガスメータ２に内蔵されている感震器付きマイコンメータの誤作動を防止することができる。
【００２２】
請求項２に係る発明の衝撃振動抑制装置を備えたガスメータは、ガスメータの周囲を覆うボックスカバー２１を設置し、このボックスカバー２１の外周側壁下部に、衝撃振動を緩和して感震器の誤作動を抑制する制振機構２４を設けたので、
落雪など上部からの外的衝撃に対して空気圧によって弾力的に荷重を支えて振動を緩和するため、ガスメータ２に内蔵されている感震器付きマイコンメータの誤作動を防止することができる。
【図面の簡単な説明】
【００２４】
【図１】この発明に係る衝撃振動抑制装置を備えたガスメータであって、ガスメータの全体を覆うハウスカバーを示す説明図である。
【図２】この発明に係る衝撃振動抑制装置を備えたガスメータであって、ガスメータの全体を覆うハウスカバーの他の事例を示す説明図である。
【図３】この発明に係る衝撃振動抑制装置を備えたガスメータであって、ガスメータの周囲を覆うボックスカバーを示す説明図である。
【図４】外部信号の伝達状況を示す説明図である。
【図５】従来一般的な事例で、ガス容器及びガスメータを設置し降雪による被害を受けている状況を示す側面説明図である。
【図６】（ａ）（ｂ）は、従来一般の降雪対策を示す説明図である。
【発明を実施するための形態】
【００２５】
この発明に係る衝撃振動抑制装置を備えたガスメータの構造を、図１乃至図４に基づいて説明する。
図１は、家屋の屋根の下方に設置するガスメータの全体を覆うハウスカバーを設けた図で、図２は他の事例を示す正面説明図である。
図３は、ガスメータの周囲を覆うボックスカバーを設けた図である。
図４は、外部信号の伝達経路の概要を示す図である。
なお、各図中の共通する部位や部材には同一の番号を付している。
【００２６】
図１はガスメータ２の全体を地面から覆うハウスカバー１４に、衝撃振動を緩和して感震器の誤作動を抑制する制振機構１５を設けた場合を示す。３は家屋、４は屋根、４ａは軒、５は雪を示す。
このハウスカバー１４は、張出した軒４ａ下の基版１３上に設置し、雪５がガスメータ２上のハウスカバー１４の頂部１４ａへかからない位置に設置している場合を示す。
制振機構１５は、ハウスカバー１４の下脚部に設ける緩衝材１６と、ハウスカバー１４の内側面とガスメータ２側面との間に設ける緩衝材１７とで形成する。
この緩衝材１６、１７は、ゴム材やコイルバネなどの弾力材を適用する。
【００２７】
このように、ガスメータ２の全体を地面から覆うハウスカバー１４に制振機構１５を設けることによって、周辺の雪降ろしなど外的衝撃から伝わる振動（矢印に示す）を緩和してガスメータ２に伝えないため、ガスメータ２に内蔵されている感震器付きマイコンメータの誤作動に伴う不用意なガス供給の停止を確実に防止することができる。
【００２８】
図２は、ガスメータの全体を覆うハウスカバー１４の他の事例で、衝撃振動を緩和して感震器の誤作動を抑制する制振機構１５を設けた場合を示す。３は家屋、４は屋根、４ｂは軒、５は雪を示す。
このハウスカバー１４は、軒４ｂから外側にはみ出た基版１３上に位置し、雪５がガスメータ２上のハウスカバー１４の頂部１４ｂへかかる位置に設置されている場合を示す。落雪はガスメータ２上のハウスカバー１４の傾斜した頂部１４ｂに沿って外側へ落すようにしている。
制振機構１５は、ハウスカバー１４の下脚部に設ける緩衝材１６と、ハウスカバー１４の内側面とガスメータ２側面との間に設ける緩衝材１７とで形成する。この緩衝材１６、１７は、ゴム材やコイルバネなどの弾力材を適用する。１８は緩衝構造の取付具で、家屋３壁面から振動がガスメータ２へ伝わらないように形成している。
【００２９】
このように、ガスメータ２の全体を地面から覆うハウスカバー１４に制振機構１５を設けることによって、屋根４上に積もる雪５がハウスカバー１４の頂部１４ｂの上に落下してもガスメータ２に当たることがない。また、基版１３上への落雪による衝撃振動は、緩衝材１６、１７によって緩和されるため、ガスメータ２に内蔵されているマイコンメータが地震以外の衝撃振動によって誤作動することなくガスの供給が停止することがなくなる。
さらに、周辺の雪降ろしなどの外的衝撃から伝わる振動（矢印に示す）も緩和してガスメータ２に伝えることがない。
【００３０】
図３は、この発明に係る衝撃振動抑制装置を備えたガスメータであって、ガスメータの周囲を覆う頂部鋭角錘状のボックスカバー２１を示す。
このボックスカバー２１は、地面から支柱２３で支えている。
衝撃振動を緩和して感震器の誤作動を抑制する制振機構２４は、シリンダ２５と空圧ピストン２６とで空圧構造に形成する事例を示す。空圧構造のシリンダ２５と空圧ピストン２６は、ボックスカバー２１の垂直な外周壁部の周方向に沿った全体位置に設けるか、或いは複数個隔離した適当な支承箇所に設置する。この空圧構造は凍結することがなく、空気ポンプやコンプレッサなどを使って安全かつ簡単に空気圧の設定やメンテナンスを行うことができる。
また、制振機構２４は、図示はしないが、汎用の油圧・液圧シリンダを用いたジャッキ構造の装置を採用することもできる。さらに制振機構２４には、図示はしないが、簡単に設置可能なバネ構造や弾性体構造の装置を使用してもよい。
【００３１】
このように、ガスメータ２の周囲を覆うボックスカバー２１に衝撃振動を緩和する制振機構２４を設けることによって、雪５の落雪５ａ，５ｂがボックスカバー２１の屋根２２の上に落下しても上部からの外的衝撃に対して空気圧によって弾力的に荷重を支えて振動を緩和するため、ガスメータ２を損傷させることがない。
さらに、感震器とマイコンを内蔵している屋外設置のガスメータ２の場合には、ガスメータ２に内蔵されているマイコンメータが誤作動することなくガスの供給が停止することがなくなる。
このボックスカバー２１は、場所を取らず簡単に設置することができ、風雨や外部からの衝撃も保護することができる。
【００３２】
図４は、外部信号の伝達状況の概要を示す。
２７は振動を検知するセンサで、ガスメータ２から離れた家屋内外など所定の安定した場所に設置する。２８は制御機構でガスメータ２内部に設置する。センサ２７からの外部信号をガスメータ２の制御機構２８に伝達し、ガスメータ２が落雪５ａ，５ｂなどによって受ける外的衝撃の振動と比較し、制御機構２８によって地震による震動かどうかを判定してマイコンメータの感震器の誤作動を抑制する。
つまり、ガスメータ２だけが振動しセンサ２７が振動を受けない場合は、制御機構２８は地震とは判定することなくマイコンメータが作動することがなく、両者が振動する場合には地震による震動と判定するように形成する。
【００３３】
このように、落雪など外的衝撃によるガスメータ２への振動は、制御機構２８によってガスメータ２から離れた所定場所に設置されたセンサ２７の信号と比較し、地震による震動が識別されるため、地震以外の外的振動によってガスメータ２に内蔵されている感震器付きマイコンメータが誤作動するのを防止することができる。
よって、屋根４上に積もる雪５がガスメータ２の上に落下し衝撃を受けて振動したり、或いは他の外的衝撃を受けて振動したとしても、ガスメータ２に内蔵されている感震器付きマイコンメータが誤作動することなく不用意にガスの供給が停止することもない。
【産業上の利用可能性】
【００３４】
この発明に係る衝撃振動抑制装置を備えたガスメータは、雪の落下による衝撃、振動の防止対策に限らず、屋外設置のマイコンメータなどの機器への雪害や暴風雨、或いは他の外的衝撃振動による誤作動の防止にも適用することができる。
【符号の説明】
【００３５】
１ガス容器      
２ガスメータ      
３家屋      
４屋根      
５雪      
６隣家      
７雪降ろし      
８収納庫      
９屋根板      
１０雪囲い      
１１架台      
１２クイ      
１３基版      
１４ハウスカバー      
１５制振機構      
１６緩衝材      
１７緩衝材      
１８取付具      
２１ボックスカバー      
２２屋根      
２３支柱      
２４制振機構      
２５シリンダ      
２６空圧ピストン      
２７センサ      
２８制御機構      
【図１】
0005672607.tif 000002
【図２】
0005672607.tif 000003
【図３】
0005672607.tif 000004
【図４】
0005672607.tif 000005
【図５】
0005672607.tif 000006
【図６】
0005672607.tif 000007